(57)【要約】【課題】接続端子が取付部に固定されたときに、接続端子の挿通孔にネジ部材の軸部が挿通された状態を実現できる端子台を提供すること。【解決手段】端子台１は、ネジ部材４が取り付けられるネジ孔５ａを有する取付部５であって、ネジ部材４の挿通孔１２ａを有する接続端子１２がネジ部材４によって固定される取付部５を備え、取付部５に対して位置決めされかつネジ孔５ａの径外方向に沿って突設される位置決め部７であって、接続端子１２の挿通孔１２ａがネジ孔５ａと重複するように接続端子１２が取付部５に重ねられた状態で、接続端子１２を含む配線１０の接続端部１４と係合して、ネジ孔５ａの径外方向への移動を規制するように接続端子１２を位置決めする位置決め部７を備える。【選択図】図２
2017195079.tif 000002
【特許請求の範囲】
【請求項１】
ネジ部材が取り付けられるネジ孔を有する取付部であって、前記ネジ部材の挿通孔を有する接続端子が前記ネジ部材によって固定される取付部を備える端子台において、
前記取付部に対して位置決めされかつ前記ネジ孔の径外方向に沿って突設される位置決め部であって、前記接続端子の前記挿通孔が前記ネジ孔と重複するように前記接続端子が前記取付部に重ねられた状態で、前記接続端子を含む配線の接続端部と係合して、前記径外方向への移動を規制するように前記接続端子を位置決めする位置決め部を備える、端子台。
【請求項２】
前記位置決め部は、前記接続端部の段差に係合する係合部を有する、請求項１に記載の端子台。
【請求項３】
前記取付部が設けられた本体を備え、
前記位置決め部は、前記取付部および前記本体と別体である、請求項１または２に記載の端子台。
【請求項４】
前記位置決め部には、前記ネジ部材の挿通孔が形成されている、請求項３に記載の端子台。
【請求項５】
前記位置決め部は、前記接続端子が前記取付部に重ねられた状態で、前記接続端子と前記取付部との間に配置される、請求項３または４に記載の端子台。
【請求項６】
前記取付部が設けられた本体を備え、
前記位置決め部は、前記取付部または前記本体と一体である、請求項１または２に記載の端子台。
【発明の詳細な説明】
【技術分野】
【０００１】
本発明は、ネジ部材が取り付けられるネジ孔を有する取付部であって、前記ネジ部材の挿通孔を有する接続端子が前記ネジ部材によって固定される取付部を備える端子台に関する。
【背景技術】
【０００２】
従来、接続端子がネジ部材によって固定される端子台が知られている（例えば、特許文献１参照）。このような端子台は、ネジ部材が取り付けられるネジ孔を有する取付部を備える。そして、ネジ部材の軸部を接続端子の挿通孔および取付部のネジ孔に挿通して、ネジ部材を取付部に締め付けることによって、接続端子が取付部に固定される。
【０００３】
上述の端子台において、接続端子の挿通孔にネジ部材の軸部が挿通されている限り、接続端子が取付部から抜け落ちることはない。ところが、接続端子が取付部に不完全に固定されてしまう場合がある。この不完全な固定は、具体的には、接続端子の挿通孔にネジ部材の軸部は挿通されていないが、接続端子の挿通孔の周辺における一部のみがネジ部材の頭部と取付部とによって締め付けられているため、接続端子が取付部に固定されている場合を指す。このような不完全な固定の場合、例えば端子台に振動が加わることにより、接続端子が取付部から外れてしまう。その結果、この端子台を介した送電が遮断され、停電を発生させてしまう。
【０００４】
ネジ部材のネジ孔への取付けに先立って接続端子の挿通孔にネジ部材の軸部が挿通されていれば、通常は、接続端子が取付部に固定されたときに接続端子の挿通孔にネジ部材の軸部が挿通されていて、上述した不完全な固定は発生しない。しかし、例えば、作業者が端子台の取付部を十分に視認できないような狭いスペースに端子台が配置されている場合、上述した不完全な固定が発生する虞がある。
【０００５】
作業者が取付部を十分に視認できない場合、視覚ではなく手の感覚のみに頼って接続端子の取り付け作業が行われる。この場合、ネジ部材のネジ孔への取付けに先立って接続端子の挿通孔にネジ部材の軸部が挿通されていたとしても、取付時にはネジ部材の軸部が挿通孔から外れて、接続端子が不完全に固定される場合がある。さらには、接続端子が不完全に固定されたことを作業者が把握しにくいので、不完全な固定が修正されないままとなってしまう。
【先行技術文献】
【特許文献】
【０００６】
【特許文献１】特開２００９−１４０６６５号公報
【発明の概要】
【発明が解決しようとする課題】
【０００７】
そこで、本発明は、接続端子が取付部に固定されたときに、接続端子の挿通孔にネジ部材の軸部が挿通された状態を実現できる端子台を提供する。
【課題を解決するための手段】
【０００８】
本発明に係る端子台は、ネジ部材が取り付けられるネジ孔を有する取付部であって、前記ネジ部材の挿通孔を有する接続端子が前記ネジ部材によって固定される取付部を備える端子台において、前記取付部に対して位置決めされかつ前記ネジ孔の径外方向に沿って突設される位置決め部であって、前記接続端子の前記挿通孔が前記ネジ孔と重複するように前記接続端子が前記取付部に重ねられた状態で、前記径外方向への移動を規制するように前記接続端子を含む配線の接続端部と係合して、前記接続端子を位置決めする位置決め部を備える。
【０００９】
かかる構成によれば、位置決め部は、挿通孔がネジ孔と重複するように接続端子が取付部に重ねられた状態で接続端部と係合するので、ネジ孔の径外方向への接続端子の移動を規制する。また、位置決め部が取付部に対して位置決めされている。そのため、ネジ部材がネジ孔に取り付けられるときに、接続端子が位置決め部および取付部に対してずれることが規制される。また、接続端子の挿通孔とネジ孔との重複が保たれるので、ネジ部材が取付部に取り付けられたときに、ネジ部材の軸部が接続端子の挿通孔およびネジ孔の双方に挿通される。したがって、本発明に係る端子台は、接続端子が取付部に固定されたときに、接続端子の挿通孔にネジ部材の軸部が挿通された状態を実現できる。
【００１０】
前記端子台において、前記位置決め部は、前記接続端部の段差に係合する係合部を有してもよい。
【００１１】
かかる構成によれば、係合部が接続端部の段差に係合するので、接続端子を含む接続端部が位置決め部に位置決めされる。したがって、本発明に係る端子台は、接続端子を位置決め部に容易に位置決めできる。
【００１２】
前記端子台において、前記取付部が設けられた本体を備え、前記位置決め部は、前記取付部および前記本体と別体であってもよい。
【００１３】
かかる構成によれば、位置決め部が取付部および本体と別体であるので、位置決め部を取付部または本体に対して着脱できる。そのため、接続端部の形状または大きさが異なる場合に、各接続端部に対応した位置決め部を用意することで、取付部に取り付ける接続端部に応じた位置決め部を取付部または本体に取り付けることができる。したがって、本発明に係る端子台は、接続端部の形状または大きさが異なる場合であっても、接続端子を取付部に対して位置決めできる。
【００１４】
前記端子台において、前記位置決め部には、前記ネジ部材の挿通孔が形成されてもよい。
【００１５】
かかる構成によれば、位置決め部の挿通孔にネジ部材が挿通することで、位置決め部が取付部に対して確実に位置決めされる。したがって、本発明に係る端子台は、接続端子を取付部に対して確実に位置決めできる。
【００１６】
前記端子台において、前記位置決め部は、前記接続端子が前記取付部に重ねられた状態で、前記接続端子と前記取付部との間に配置されてもよい。
【００１７】
かかる構成によれば、接続端子が前記取付部に重ねられた状態で、接続端子が位置決め部によって覆われることなく露出する。したがって、本発明に係る端子台は、位置決め部が接続端子の取付部への取付作業の邪魔となることを防止でき、取付作業の作業性がよい。
【００１８】
前記端子台において、前記取付部が設けられた本体を備え、前記位置決め部は、前記取付部または前記本体と一体であってもよい。
【００１９】
かかる構成によれば、取付部が本体に設けられかつ位置決め部が取付部または本体と一体であるので、位置決め部は取付部に対して常に位置決めされている。したがって、本発明に係る端子台は、接続端子を取付部に対して確実に位置決めできる。
【発明の効果】
【００２０】
したがって、本発明に係る端子台は、接続端部が取付部に固定されたときに、接続端子の挿通孔にネジ部材の軸部が挿通された状態を実現できる。
【図面の簡単な説明】
【００２１】
【図１】図１は本発明の第１実施形態に係る端子台の平面図である。
【図２】図２は本発明の第１実施形態に係る分割体の正面図である。
【図３】図３は本発明の第１実施形態に係る位置決め部の斜視図である。
【図４】図４は本発明の第２実施形態に係る分割体の正面図である。
【図５】図５は本発明の第２実施形態に係る位置決め部の斜視図である。
【図６】図６は本発明の第３実施形態に係る分割体の正面図である。
【図７】図７は本発明の第４実施形態に係る分割体の正面図である。
【図８】図８は本発明の第５実施形態に係る分割体の正面図である。
【図９】図９は本発明の第６実施形態に係る分割体の正面図である。
【図１０】図１０は本発明の第６実施形態に係る分割体の平面図である。
【発明を実施するための形態】
【００２２】
本発明の実施形態に係る端子台を、添付図面を参照しながら説明する。なお、以下の各実施形態において同一または対応する部分には同一の参照符号を付しており、これらの部分の構成についての説明は、基本的には繰り返さない。
【００２３】
図１に示されるように、本発明の第１実施形態に係る端子台１は、前後方向Ｄ１に沿って連結された少なくとも１つの分割体２と、連結された分割体２に前後方向Ｄ１の一端で連結された端末板３と、を備える。
【００２４】
端子台１には、配線１０の接続端子１２が取り付けられる。ここで、配線１０は、ケーブル１１と、ケーブル１１の端部に設けられた接続端子１２と、ケーブル１１および接続端子１２の接続部分を被覆するキャップ１３とを備える。また、配線１０の端部であって、接続端子１２を含む端部を、接続端部１４とする。接続端部１４は、接続端子１２と、キャップ１３と、ケーブル１１の端部であってキャップ１３から露出した部分と、を含む。
【００２５】
図２に示されるように、分割体２は、ネジ部材４と、接続端子１２がネジ部材４によって固定される取付部５と、取付部５が設けられた本体６と、接続端子１２を位置決めする位置決め部７とを備える。また、分割体２は、スプリングワッシャ８および角座金９を備える。
【００２６】
ネジ部材４は、ネジが形成された軸部４ａと、軸部４ａの延出方向の一端部に固定された頭部４ｂとを有する。ネジ部材４は、導電性材料により構成されている。
【００２７】
接続端子１２は、ネジ部材４の軸部４ａが挿通される挿通孔１２ａを有する。本実施形態では、接続端子１２は、ケーブル１１の電線１１ａが挿入された筒状の接続部１５と、接続部１５の外周の一部から接続部１５の軸線方向に沿って延びる板状の端子部１６と、を有する。端子部１６は、接続部１５の外周の一部から延びているので、接続部１５の軸線に対して偏っている。また、挿通孔１２ａは、端子部１６に形成されている。
【００２８】
取付部５は、ネジ部材４が取り付けられるネジ孔５ａと、本体６に対して位置決めされるための位置決め溝５ｂとを有する。ネジ孔５ａは、前後方向Ｄ１および左右方向Ｄ２の双方に直交する上下方向Ｄ３に沿って形成されている。本実施形態では、取付部５は、左右方向Ｄ２に延びる板状部材である。また、本実施形態では、取付部５は、左右方向Ｄ２に沿って配置された一対のネジ孔５ａを有する。そのため、一対のネジ部材４により一対の接続端子１２を同一の取付部５に固定することが可能である。また、取付部５は、導電性材料により構成されている。そのため、取付部５に固定された一対の接続端子１２は、ネジ部材４および取付部５を介して互いに導通する。
【００２９】
本体６は、前後方向Ｄ１で隣り合う２つの取付部５を分離する分離壁６１と、分離壁６１の下部から前側に突出する支持体６２と、分離壁６１の上部から前側に突出する一対の制止壁６３とを備える。支持体６２は、取付部５を支持する。一対の制止壁６３は、左右方向Ｄ２に沿って配置されている。一対の制止壁６３は、取付部５の位置決め溝５ｂと係合することで、本体６に対する取付部５の左右方向Ｄ２における移動を制止する。また、制止壁６３は、上下方向Ｄ３における適宜位置に、制止壁６３の前側への突出長さが変化する境界となる段差部６３ａを有する。段差部６３ａの下方における制止壁６３の前側への突出長さは、段差部６３ａの上方における制止壁６３の前側への突出長さよりも小さい。そのため、段差部６３ａは、支持体６２と協働して取付部５および位置決め部７を上下方向Ｄ３で挟み込むことで、本体６に対する取付部５の上下方向Ｄ３における移動を制止する。また、分離壁６１は、隣り合う分離壁６１または端末板３と協働して、本体６に対する取付部５の前後方向Ｄ１における移動を制止する。このようにして、本体６は、取付部５を本体６に対して位置決めできる。
【００３０】
位置決め部７は、取付部５のネジ孔５ａの径外方向に沿って突設された部材である。第１実施形態では、１つの位置決め部７が一対の接続端子１２を位置決めするように構成されている。そのため、位置決め部７は、ネジ孔５ａの径外方向のうち、左右方向Ｄ２の一端側および他端側（右側および左側）の双方に沿って突設されている。位置決め部７は、接続端子１２の挿通孔１２ａがネジ孔５ａと重複するように接続端子１２が取付部５に重ねられた状態で、接続端子１２を含む接続端部１４と係合して、ネジ孔５ａの径外方向への移動を規制するように接続端子１２を位置決めする。具体的には、位置決め部７は、接続端部１４に係合する係合部７１と、ネジ孔５ａの径外方向に沿ってネジ孔５ａから延びて係合部７１に接続される支持部７２と、を備える。第１実施形態では、支持部７２は、右側および左側の双方に延び、支持部７２の左右方向Ｄ２の両端部のそれぞれに係合部７１が接続されている。
【００３１】
図３には、第１実施形態に係る位置決め部７が示されている。本実施形態では、係合部７１は、支持部７２の左右方向Ｄ２の端部から上側に突出する板状部分であって、上側に開口する係合溝７１ａを有する。係合溝７１ａは、前後方向Ｄ１における所定幅Ｗの開口を有する。所定幅Ｗは、ケーブル１１の外径よりも大きく、キャップ１３の外径よりも小さい。そのため、支持部７２の挿通孔７２ａが接続端子１２の挿通孔１２ａと重複するように接続端子１２が位置決め部７に重ねられ、かつ、係合溝７１ａ内にケーブル１１が挿入された状態では、位置決め部７の係合部７１は、接続端部１４の段差であって、ケーブル１１とキャップ１３との間の段差に係合できる。この状態では、接続端部１４は、係合溝７１ａを超えて、ネジ孔５ａの径外方向に抜け落ちることはない。
【００３２】
図２、図３に示されるように、支持部７２は、本実施形態では、左右方向Ｄ２に延びる板状部分である。また、支持部７２は、一対の接続端子１２を位置決めできるように、上下方向Ｄ３に沿って形成された一対の挿通孔７２ａであって、各挿通孔７２ａにネジ部材４の軸部４ａが挿通される一対の挿通孔７２ａを有する。ここで、取付部５に位置決め部７が重ねられた状態で、取付部５の一対のネジ孔５ａのそれぞれと位置決め部７の一対の挿通孔７２ａのそれぞれとが重複するように、一対の挿通孔７２ａの形成位置が設定されている。
【００３３】
支持部７２は、取付部５に対して位置決めされるための位置決め溝７２ｂを有する。一対の制止壁６３は、支持部７２の位置決め溝７２ｂと係合することで、本体６に対する位置決め部７の左右方向Ｄ２における移動を制止する。また、制止壁６３の段差部６３ａは、支持体６２と協働して取付部５および位置決め部７を上下方向Ｄ３で挟み込むことで、本体６に対する位置決め部７の上下方向Ｄ３における移動を制止する。また、分離壁６１は、隣り合う分離壁６１または端末板３と協働して、本体６に対する位置決め部７の前後方向Ｄ１における移動を制止する。支持部７２は本体６に対して位置決めされ、取付部５も本体６に対して位置決めされているので、位置決め部７は、取付部５に対して位置決めされる。
【００３４】
位置決め部７は、絶縁性材料で構成されることが好ましく、例えば樹脂材料により構成される。また、位置決め部７は、弾性変形可能な材料で構成されてもよい。
【００３５】
図２を参照して、接続端子１２が固定された分割体２を説明する。接続端子１２が取付部５に固定された状態では、取付部５から上方に向けて、位置決め部７、接続端子１２、角座金９、およびスプリングワッシャ８が順に配置されている。位置決め部７は、係合部７１の係合溝７１ａが上方に開口する姿勢に保たれ、取付部５の一対のネジ孔５ａのそれぞれと位置決め部７の一対の挿通孔７２ａのそれぞれとが重複するように、支持部７２が取付部５に重ねられている。接続端子１２は、接続部１５の軸線よりも下方に端子部１６が位置するように、端子部１６が位置決め部７の支持部７２に重ねられている。そのため、接続端部１４は、端子部１６から上方に突出し、接続端部１４の下方に位置する支持部７２と干渉しない。また、接続端部１４は、支持部７２から上方に突出する係合部７１に係合し、位置決め部７に対して位置決めされる。具体的には、接続端部１４のケーブル１１が、係合部７１の係合溝７１ａ内に上側から挿入されるので、接続端子１２およびキャップ１３は、係合溝７１ａよりもネジ孔５ａ側に位置している。そのため、キャップ１３は、係合部７１のネジ孔５側の面によって、ネジ孔５ａの径外方向への移動を規制される。したがって、キャップ１３と一体の接続端子１２も、ネジ孔５ａの径外方向への移動を規制される。また、係合溝７１ａの奥側（下側）に支持部７２が位置するので、係合溝７１ａに接続端部１４のケーブル１１が挿入されると、接続端子１２およびキャップ１３は、支持部７２の上面に接触できる。特に、係合溝７１ａが上側に開口する本実施形態では、接続端子１２およびキャップ１３は、自重により、係合溝７１ａの奥側（下側）への力を受ける。そのため、接続端子１２およびキャップ１３は、支持部７２の上面によって支持され、かつ、係合溝７１ａから脱落しにくい。角座金９は、角座金９の挿通孔が接続端子１２の挿通孔１２ａと重複するように、接続端子１２の上に重ねられている。スプリングワッシャ８は、スプリングワッシャ８の挿通孔が角座金９の挿通孔と重複するように、角座金９の上に重ねられている。ネジ部材４の頭部４ｂは、スプリングワッシャ８の上方に位置する。ネジ部材４の軸部４ａは、スプリングワッシャ８、角座金９、接続端子１２、位置決め部７に順に挿通され、かつ、取付部５のネジ孔５ａに取り付けられている。ネジ部材４が取付部５に締結されることにより、接続端子１２は、取付部５に固定される。
【００３６】
図４、図５を参照して、第２実施形態に係る端子台１を説明する。第２実施形態では、１つの位置決め部７は、１つの接続端子１２を位置決めするように構成されている。
【００３７】
図４、図５に示されるように、第２実施形態に係る位置決め部７は、係合部７１と、ネジ孔５ａの径外方向に沿ってネジ孔５ａから延びて係合部７１に接続される支持部７２と、を備える。第２実施形態では、位置決め部７が１つの接続端子１２を位置決めするので、支持部７２は、左右方向Ｄ２の一端側および他端側のいずれか一方に延びる。取付部５の左側のネジ孔５ａに対応する位置決め部７では、支持部７２は、右側のネジ孔５ａを塞がないように左側のネジ孔５ａから左側に延び、支持部７２の左端部に係合部７１が接続される。取付部５の右側のネジ孔５ａに対応する位置決め部７についても、同様である。
【００３８】
図６を参照して、第３実施形態に係る端子台１を説明する。第３実施形態に係る分割体２は、第２実施形態に係る位置決め部７（図５）を備える。第３実施形態に係る分割体２では、取り付けられた位置決め部７の姿勢が、第１実施形態および第２実施形態とは異なっている。また、本体６は、位置決め部７の姿勢に対応する構成を有する。
【００３９】
図６に示されるように、第３実施形態に係る分割体２では、位置決め部７（図５）の姿勢が、第１実施形態および第２実施形態の場合と比べて、上下方向Ｄ３において反転している。つまり、係合部７１の係合溝７１ａが下方に開口するように、位置決め部７が配置されている。図６において、取付部５から上方に向けて、接続端子１２、角座金９、位置決め部７、およびスプリングワッシャ８が順に配置されている。この配置では、位置決め部７の支持部７２は、接続端子１２よりも上方に位置する。そのため、係合部７１が上方から接続端部１４に被さることで、係合部７１が接続端子１２に係合できる。
【００４０】
第３実施形態に係る分割体２では、位置決め部７は、上下方向Ｄ３において取付部５から離れた上方位置に配置されている。本体６の制止壁６３は、上下方向Ｄ３において、取付部５および位置決め部７を個別に位置決めするために、上述した段差部６３ａの他に、位置決め部７と係合する位置決め溝６３ｂを有している。ここで、第３実施形態では、段差部６３ａは、支持体６２と協働して取付部５を上下方向Ｄ３で挟み込むように構成されている。また、位置決め溝６３ｂは、前後方向Ｄ１において前側に開口する凹部であって、位置決め部７の位置決め溝７２ｂと係合可能である。位置決め溝６３ｂは、位置決め溝６３ｂの内面の上面および下面によって、位置決め部７を上下方向Ｄ３で挟み込むように、構成されている。そのため、制止壁６３は、本体６に対する取付部５および位置決め部７の上下方向Ｄ３における移動を、個別に制止できる。
【００４１】
図７を参照して、第４実施形態に係る端子台１を説明する。第４実施形態に係る分割体２は、接続端部１４の姿勢に関係なく接続端部１４との干渉を防止できる位置決め部７を備える。
【００４２】
図７に示されるように、第４実施形態に係る分割体２では、２つの接続端子１２が、１つのネジ孔５ａに取り付けられた１つのネジ部材４によって、一緒に取付部５に固定されている。ここで、２つの接続端子１２は、ネジ部材４により固定される都合上、互いの端子部１６が重なるように上下に配置される。そのため、下側の接続端部１４は、下側の接続端子１２から下方に突出し、上側の接続端部１４は、上側の接続端子１２から上方に突出する。
【００４３】
第４実施形態に係る位置決め部７は、係合部７１および支持部７２を備え、支持部７２は、挿通孔７２ａが形成された支持基部７３と、突出した接続端部１４（接続部１５およびキャップ１３）との干渉を回避しながら支持基部７３を係合部７１に接続する回避部７４とを備える。回避部７４は、上下方向Ｄ３の一端側に延びる段差部７４ａと、段差部７４ａからネジ孔５の径外方向に延びて係合部７１に接続される延出部７４ｂと、を備える。段差部７４ａの延びる方向は、係合部７１の突出する方向と反対である。このような構成により、回避部７４内に、突出した接続端部１４を収納しながら、その接続端部１４に係合部７１を係合させることができる。
【００４４】
図７において、位置決め部７は、回避部７４が下側に突出する姿勢で、下側の接続端子１２の下方に配置されている。そのため、回避部７４が、下側に突出する接続端部１４を収納しながら、上側に突出する係合部７１が、この接続端部１４に係合できる。
【００４５】
第４実施形態に係る位置決め部７では、係合部７１が少なくとも１つの接続端部１４と係合するように、係合溝７１ａの上下方向Ｄ３における開口深さが設定されている。係合溝７１ａの開口深さは、係合部７１が２つの接続端部１４の双方と係合できる長さに設定されてもよい。
【００４６】
図８を参照して、第５実施形態に係る端子台１を説明する。第５実施形態に係る分割体２は、本体６と一体の位置決め部７を備える。
【００４７】
図８に示されるように、第５実施形態に係る位置決め部７は、係合部７１と、ネジ孔５ａの径外方向に沿って本体６から延びて係合部７１に接続される支持部７２と、を備える。
【００４８】
図９、図１０を参照して、第６実施形態に係る端子台１を説明する。第６実施形態に係る分割体２は、取付部５と一体の位置決め部７を備える。
【００４９】
図９に示されるように、第６実施形態に係る位置決め部７は、取付部５から上方に突出する係合部７１を備える。第６実施形態に係る係合部７１は、上方に開口する係合溝７１ａを有し、接続端部１４の段差であって、接続部１５と端子部１６との間の段差に係合できる。図１０に示されるように、挿通孔１２の軸方向から見て、端子部１６は接続部１５よりも幅広であり、接続部１５と端子部１６との間に段差が存在する。
【００５０】
第１から第６実施形態のそれぞれに係る端子台１は、ネジ部材４が取り付けられるネジ孔５ａを有する取付部５であって、ネジ部材４の挿通孔１２ａを有する接続端子１２が前記ネジ部材４によって固定される取付部５を備える。端子台１は、取付部５に対して位置決めされかつネジ孔５ａの径外方向に沿って突設される位置決め部７を備える。位置決め部７は、接続端子１２の挿通孔１２ａがネジ孔と重複するように接続端子１２が取付部５に重ねられた状態で、接続端子１２を含む配線１０の接続端部１４と係合して、ネジ孔５ａの径外方向への移動を規制するように接続端子１２を位置決めする。
【００５１】
かかる構成によれば、位置決め部７は、接続端子１２の挿通孔１２ａがネジ孔５ａと重複するように接続端子１２が取付部５に重ねられた状態で接続端部１４と係合するので、ネジ孔５ａの径外方向への接続端子１２の移動を規制する。また、位置決め部７が取付部５に対して位置決めされている。そのため、ネジ部材４がネジ孔５ａに取り付けられるときに、接続端子１２が位置決め部７および取付部５に対してずれることが規制される。また、接続端子１２の挿通孔１２ａとネジ孔５ａとの重複が保たれるので、ネジ部材４が取付部５に取り付けられたときに、ネジ部材４の軸部４ａが接続端子１２の挿通孔１２ａおよびネジ孔５ａの双方に挿通される。したがって、端子台１は、接続端子１２が取付部５に固定されたときに、接続端子１２の挿通孔１２ａにネジ部材４の軸部４ａが挿通された状態を実現できる。
【００５２】
第１から第６実施形態のそれぞれに係る端子台１において、位置決め部７は、接続端部１４の段差に係合する係合部７１を有する。
【００５３】
かかる構成によれば、係合部７１が接続端部１４の段差に係合するので、接続端子１２を含む接続端部１４が位置決め部７に位置決めされる。したがって、端子台１は、接続端子１２を位置決め部７に容易に位置決めできる。
【００５４】
第１から第４実施形態のそれぞれに係る端子台１において、取付部５が設けられた本体６を備え、位置決め部７は、取付部５および本体６と別体である。
【００５５】
かかる構成によれば、位置決め部７が取付部５および本体６と別体であるので、位置決め部７を取付部５または本体６に対して着脱できる。そのため、接続端部１４の形状または大きさが異なる場合に、各接続端部１４に対応した位置決め部７を用意することで、取付部５に取り付ける接続端部１４に応じた位置決め部７を取付部５または本体６に取り付けることができる。したがって、端子台１は、接続端部１４の形状または大きさが異なる場合であっても、接続端子１２を取付部５に対して位置決めできる。
【００５６】
第１から第４実施形態のそれぞれに係る端子台１において、位置決め部７には、ネジ部材４の挿通孔７２ａが形成されている。
【００５７】
かかる構成によれば、位置決め部７の挿通孔７２ａにネジ部材４が挿通することで、位置決め部７が取付部５に対して確実に位置決めされる。したがって、端子台１は、接続端子１２を取付部５に対して確実に位置決めできる。
【００５８】
第１、第２、または第４実施形態に係る端子台において、位置決め部７は、接続端子１２が取付部５に重ねられた状態で、接続端子１２と取付部５との間に配置される。
【００５９】
かかる構成によれば、接続端子１２が取付部５に重ねられた状態で、接続端子１２が位置決め部７によって覆われることなく露出する。したがって、端子台１は、位置決め部７が接続端子１２の取付部５への取付作業の邪魔となることを防止でき、取付作業の作業性がよい。
【００６０】
第５または第６実施形態に係る端子台１において、取付部５が設けられた本体６を備え、位置決め部７は、取付部５または本体６と一体である。
【００６１】
かかる構成によれば、取付部５が本体６に設けられかつ位置決め部７が取付部５または本体６と一体であるので、位置決め部７は取付部５に対して常に位置決めされている。したがって、端子台１は、接続端子１２を取付部５に対して確実に位置決めできる。
【００６２】
第１実施形態に係る端子台１において、取付部５は、一対のネジ孔５ａを有し、位置決め部７は、一対のネジ孔５ａが並ぶ方向（左右方向Ｄ２）の両端側に突設されている。
【００６３】
かかる構成によれば、位置決め部７は、一対のネジ孔５ａが並ぶ方向の両端側のそれぞれで接続端部１４に係合して、一対の接続端子１２を位置決めすることができる。したがって、端子台１は、接続端子１２の位置決めに要する部品点数の増大を抑制しながら、接続端子１２を取付部５に対して位置決めできる。
【００６４】
第２から第５実施形態のそれぞれに係る端子台１において、取付部５は、一対のネジ孔５ａを有し、位置決め部７は、一対のネジ孔５ａが並ぶ方向（左右方向Ｄ２）の両端側のいずれか一方に突設されている。
【００６５】
かかる構成によれば、１つの位置決め部７は、一対のネジ孔５ａが並ぶ方向の両端側のいずれか一方で接続端部１４に係合して、接続端子１２を位置決めすることができる。つまり、１つの位置決め部７が、１つの接続端子１２に対応している。したがって、端子台１は、同一の取付部５に取り付けられる一対の接続端子１２において、接続端部１４の形状または大きさが異なる場合であっても、各接続端部１４に対応した位置決め部７を用意することで、接続端子１２を取付部５に対して位置決めできる。
【００６６】
第３実施形態に係る端子台１において、位置決め部７は、取付部５と協働して接続端子１２を挟むように配置される。
【００６７】
かかる構成によれば、接続端子１２が位置決め部７によって覆われる。したがって、端子台１は、位置決め部７を、接続端子１２を覆うカバーとして利用できる。
【００６８】
第１から第６実施形態のそれぞれに係る端子台１において、接続端部１４の段差に係合する係合部７１は、ネジ孔５の軸方向の両端側のいずれか一方に突出する支持部７２の突出側端部に設けられ、かつ、係合部７１が突出する方向に開口する係合溝７１ａを有する。
【００６９】
かかる構成によれば、係合溝７１ａがネジ孔５の軸方向に開口しているので、接続端部１４は、ネジ孔５の軸方向に沿って移動することで、係合部７１に解除可能に係合できる。したがって、端子台１は、取付部５に対する接続端子１２の位置決めを、係合溝７１ａという簡素な構成により実現できる。
【００７０】
本発明の端子台は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００７１】
第１から第５実施形態に係る位置決め部７は、接続端部１４の段差であって、ケーブル１１とキャップ１３との間の段差に係合する係合部７１を有する。第６実施形態に係る位置決め部７は、接続端部１４の段差であって、接続端子１２の端子部１６と接続部１５との間の段差に係合する係合部７１を有する。本発明に係る位置決め部７は、この構成に限定されない。第１から第５実施形態に係る位置決め部７が、端子部１６と接続部１５との間の段差に係合する係合部７１を有してもよく、第６実施形態に係る位置決め部７が、ケーブル１１とキャップ１３との間の段差に係合する係合部７１を有してもよい。また、本発明に係る位置決め部７は、接続端部１４に係合できる構成であれば、接続端部１４の段差に係合する構成に限定されない。本発明に係る位置決め部７は、例えば、接続端部１４を挟み込むことで係合する係合部を備えてもよい。具体的には、位置決め部７は、キャップ１３を挟み込むことで係合する係合部を備えてもよい。
【００７２】
第１から第４実施形態に係る位置決め部７は、取付部５および本体６とは別体であって、ネジ部材４の軸部４ａが挿通される挿通孔７２ａを有するが、本発明に係る位置決め部７は、この構成に限定されない。位置決め部７は、取付部５および本体６とは別体であり、かつ、挿通孔７２ａを有することなくネジ部材４の軸部４ａと干渉しない位置に配置されてもよい。具体的には、位置決め部７は、例えば、第５実施形態に係る位置決め部７（図８）を本体６とは別体に構成した場合のように、ネジ孔５ａの径外方向で取付部５の外側に配置されかつ本体６に着脱可能に取り付けられた構成であってもよい。
【００７３】
第１から第４実施形態に係る位置決め部７は、取付部５と本体６とは別体に構成され、取付部５および位置決め部７が本体６に位置決めされることで、本体６を介して位置決め部７が取付部５に位置決めされているが、本発明に係る位置決め部７は、この構成に限定されない。位置決め部７は、本体６を介することなく、取付部５に直接位置決めされてもよい。具体的には、例えば、位置決め部７は、取付部５に接着されたり、分離可能に嵌め込まれることで、取付部５に固定される構成であってもよい。
【００７４】
第１から第４実施形態に係る取付部５および位置決め部７は、前後方向Ｄ１および左右方向Ｄ２では、個別に本体６に位置決めされている。ここで、第１、第２、第４実施形態に係る取付部５および位置決め部７は、上下方向Ｄ３では、制止壁６３の段差部６３ａと支持体６２とで取付部５および位置決め部７をまとめて挟み込むことによって、本体６に一緒に位置決めされている。一方、第３実施形態に係る取付部５および位置決め部７は、上下方向Ｄ３で離間した位置に配置されて、個別に本体６に位置決めされている。具体的には、第３実施形態に係る取付部５は、上下方向Ｄ３では、段差部６３ａと支持体６２とに挟み込まれることによって本体６に位置決めされ、第３実施形態に係る位置決め部７は、制止壁６３の位置決め溝６３ｂに係合することによって本体６に位置決めされている。本発明に係る取付部５および位置決め部７は、上述した構成に限定されるものではなく、個別に本体６に位置決めされてもよく、一緒に本体６に位置決めされてもよい。
【符号の説明】
【００７５】
１…端子台、２…分割体、３…端末板、４…ネジ部材、４ａ…軸部、４ｂ…頭部、５…取付部、５ａ…ネジ孔、５ｂ…位置決め溝、６…本体、７…位置決め部、８…スプリングワッシャ、９…角座金、１０…配線、１１…ケーブル、１１ａ…電線、１２…接続端子、１２ａ…挿通孔、１３…キャップ、１４…接続端部、１５…接続部、１６…端子部、６１…分離壁、６２…支持体、６３…制止壁、６３ａ…段差部、６３ｂ…位置決め溝、７１…係合部、７１ａ…係合溝、７２…支持部、７２ａ…挿通孔、７２ｂ…位置決め溝、７３…支持基部、７４…回避部、７４ａ…段差部、７４ｂ…延出部、Ｄ１…前後方向、Ｄ２…左右方向、Ｄ３…上下方向、Ｗ…所定幅
【図１】
2017195079.tif 000003
【図２】
2017195079.tif 000004
【図３】
2017195079.tif 000005
【図４】
2017195079.tif 000006
【図５】
2017195079.tif 000007
【図６】
2017195079.tif 000008
【図７】
2017195079.tif 000009
【図８】
2017195079.tif 000010
【図９】
2017195079.tif 000011
【図１０】
2017195079.tif 000012